(57)【特許請求の範囲】
【請求項１】
脚部と座部とに分離可能な車椅子に対し、上記脚部から分離した座部の背面を吊る吊具体をガイドレールに係合装架して水平移動させる横行部と、上記吊具体に吊るした座部を浴槽内外に移動するために上記ガイドレールと同一レベルまで上昇させたり、浴槽底面にまで降下させるレール付昇降台の昇降部とを備えたバスリフト本体を浴槽縁に配置したバスリフト入浴装置において、前記横行部のガイドレールを上下２本とすると共に、下側ガイドレールの中腹部を前方へオフセットさせたことを特徴とするバスリフト入浴装置。
【請求項２】
脚部と座部とに分離可能な車椅子に対し、上記脚部から分離した座部の背面を吊る吊具体をガイドレールに係合装架して水平移動させる横行部と、上記吊具体に吊るした座部を浴槽内外に移動するために上記ガイドレールと同一レベルまで上昇させたり浴槽底面にまで降下させるレール付昇降台の昇降部とを備えたバスリフト本体を浴槽縁に配置したバスリフト入浴装置において、上記浴槽縁の外壁に当て座を介して面当たりしながら車椅子の進退方向に延びるガイドバーをバスリフト本体に設置すると共に、浴槽縁の内壁側には、該内壁とバスリフト本体との隙間に締付手段を設置したことを特徴とするバスリフト入浴装置。
【発明の詳細な説明】
【０００１】
【発明の属する技術分野】
本発明は、座位を保持することが出来るけれども、自力では入浴出来ない身体的なハンディの有る人を専用の車椅子から背もたれを備えた座部のみを分離し、車椅子の座部ごと座位の姿勢で健常者と同じ一般浴槽に入浴させる入浴装置に係わり、特に既設の浴槽への簡単な設置と、座部の載せ替え移動が円滑になるようにしたものである。
【０００２】
【従来の技術】
従来、座位は保てるも、自力では入浴出来ない身体的なハンディが有る人のための入浴装置は、通常「中間浴」と称し、寝たきり専用或は寝かされて入浴を行う「特浴」とは区別されている。そして、上記「中間浴」にも近時様々な方式のものが開発されるに至っている。そのうちの一つとして、一般浴槽へ備え付ける中間浴装置の代表例は、一般にバスリフトと称し、昇降機能を持ったリフト本体を浴槽縁に隣接した適当位置に据付けし、座部と車輪部との間が着脱可能な専用車椅子に乗った入浴者を、上記リフト本体を介して上昇・旋回・下降動作を経て座部ごと入浴させんとするもので、このバスリフトを既設の一般浴槽に後取付するに際し、アンカー工事や床面の改造工事がかさみ、至極厄介なものであった。
【０００３】
又、据付工事を比較的簡素化したタイプも見られるも、これらにあっては、専用車椅子をリフト本体へドッキングさせるアプローチ作業が面倒で、介助者に高度な作業習熟度が要求されていた。
【０００４】
【発明が解決しようとする課題】
本発明は、上記従来技術の問題点に鑑みてなされたもので、健常者も使用出来る広いスペースを持った一般浴槽を利用して設置する中間浴装置であって、その浴槽縁を巧みに活用してバスリフト本体を大掛かりな工事を伴うことなく簡単に設置できること、そして、車椅子を浴槽縁に沿って延びるガイドバーに案内されて進入させることで、誰にでも容易に且つ確実にバスリフト本体とドッキング操作が行えること並びにリフト上での入浴者の移送が安心して行えることを最たる目的とする。
【０００５】
【課題を解決するための手段】
本発明は、上記目的を達成すべく請求項１は、脚部と座部とに分離可能な車椅子に対し、上記脚部から分離した座部の背面を吊る吊具体をガイドレールに係合装架して水平移動させる横行部と、上記吊具体に吊るした座部を浴槽内外に移動するために上記ガイドレールと同一レベルまで上昇させたり、浴槽底面にまで降下させるレール付昇降台の昇降部とを備えたバスリフト本体を浴槽縁に配置したバスリフト入浴装置において、前記横行部のガイドレールを上下２本とすると共に、下側ガイドレールの中腹部を前方へオフセットさせたことを特徴とするバスリフト入浴装置である。
【０００６】
本発明の請求項１によると、横行部の上下２本のガイドレールのうち下側のガイドレールの中腹部を前方へ所定量オフセットしてあるため、座部に乗った入浴者の重みで、上記ガイドレールが下方へ撓んでも、座部の姿勢は一定に保持されるので、入浴者は滑り落ちる不安を感じることなく安全にガイドレール上を移動する。
【０００７】
更に、本発明の請求項２は、脚部と座部とに分離可能な車椅子に対し、上記脚部から分離した座部の背面を吊る吊具体をガイドレールに係合装架して水平移動させる横行部と、上記吊具体に吊るした座部を浴槽内外に移動するために上記ガイドレールと同一レベルまで上昇させたり浴槽底面にまで降下させるレール付昇降台の昇降部とを備えたバスリフト本体を浴槽縁に配置したバスリフト入浴装置において、上記浴槽縁の外壁に当て座を介して面当たりしながら車椅子の進退方向に延びるガイドバーをバスリフト本体に設置すると共に、浴槽縁の内壁側には該内壁とバスリフト本体との隙間に締付手段を設置したことを特徴とするバスリフト入浴装置である。
【０００８】
本発明の請求項２によると、リフト本体の設置は、浴槽縁の外壁沿って延びるガイドバーと、浴槽縁の内壁側に設けた締付手段とにより、リフト本体を浴槽縁に圧接して保持するため、従来のようなアンカー工事を必要としない。
【０００９】
更に、本発明の請求項２によると、車椅子をリフト本体にドッキングさせる際、浴槽縁の外壁に沿って設置されたガイドバーを案内にして、車椅子をアプローチさせれば所定のドッキング位置に誰にでも簡単且つ正確に位置決め停止させることが出来る。
【００１０】
以下、本発明の技術を含んだ図面の実施形態で説明する。図１は本発明の入浴装置を示す全体の平面図であり、図２は本発明の入浴装置を示す正面図である。図３以降は、本発明の入浴装置を示す詳細な説明図である。
【００１１】
全体を符号１００で示すバスリフト入浴装置は、車椅子３０とバスリフト本体７０によって構成される。上記車椅子３０は、常態において、その脚部１０と座部２０との間はクランプ部材Ｋ１,Ｋ２を介して連結固定されているが、周知の如くバスリフト本体７０に車椅子３０をドッキング操作する際、クランプ部材Ｋ１,Ｋ２によるクランピングが自動的に解除され両者の分離を可能としたものである。また、この車椅子３０には、車椅子上に載せた入用者Ｍを搬送する移動手段Ｃ１と脚部１０に対して座部２０をスライドさせる移動手段Ｃ２とを具備する。
【００１２】
即ち、上記車椅子３０は、その脚部１０の下端隅角部にブレーキ付の車輪１１,１２,１３,１４から成る移動手段Ｃ１を有すると共に、脚部１０の骨組みとなるコ型の上下フレーム１５,１６のうち、上フレーム１５に案内レール１７,１８を設け、該案内レール１７,１８に係合する多数のローラ２０Ｄ,２０Ｅを座板２０Ｃの底面に付設して、座部２０Ｃを図１の左右方向（Ｘ方向）にスライドさせる移動手段Ｃ２を有する。
【００１３】
又、座部２０における背もたれ２０Ａの背面２０Ｂの上部には、後述するバスリフト本体７０の吊具体４０に設けたフック４０Ａに掛けるコ型の引掛棒２０Ｈを水平姿勢に付設すると共にその下方両側に吊具体４０に設けた２本の支持ボルト４０Ｂを受嵌する受面座２０Ｉが付設されている。
【００１４】
一方、前記バスリフト本体７０は、その主要構成部材である横行部５０を浴槽６０内に設置した昇降部７０Ｃと洗い場フロアＦに設けた基台（符号なし）とによって水平に連結固定すると同時に浴槽縁６０Ａに対し直交して跨設するものである。そして、上記横行部５０には、その前面５０Ａに連結する枠体５０Ｄに金具５０Ｅを介して上下２本のガイドレール５０Ｂ,５０Ｃが敷設されていて、該ガイドレール５０Ｂ,５０Ｃにローラ４０Ｅ,４０Ｆ,４０Ｇを介して吊具体４０が移動可能に装架されている。尚、上記ガイドレール５０Ｂ,５０Ｃのうち下側に位置するガイドレール５０Ｃは、図７に示すように中腹部を前方へ所定量Ｙoだけオフセットさせた構成としている。
【００１５】
また、前記昇降部７０Ｃには、その前面に図示しないモータの正逆転駆動により、上記横行部５０のガイドレール５０Ｂ,５０Ｃと同一レベル高さＬまで上昇したり、浴槽底面６０Ｄにまで降下するようにしたレール８０Ａ,８０Ｂ付の昇降台８０が配設される。そして、上記レール８０Ａ,８０Ｂは昇降台８０の最上昇端位置で図２に示すように前記横行部５０のガイドレール５０Ｃ,５０Ｂと同一レベルＬに一致し、一直線に連続する。
【００１６】
更に、本発明のバスリフト本体７０には、一旦を基台（符号なし）に剛結したガイドバー７０Ａを浴槽縁６０Ａの外壁６０Ｂに沿って設置すると共に該ガイドバー７０Ａと外壁６０Ｂの間隙に当て座７０Ｄを配設し、同時に浴槽縁６０Ａの内壁６０Ｃと昇降部７０Ｃとの間隙に締付手段７０Ｂを配備し、この締付手段７０の伸長動によりバスリフト７０をアンカー工事等を施すことなく浴槽縁６０Ａによって、堅固に保持せんとしたものである。尚、上記ガイドバー７０Ａはバスリフト本体７０の前後方向（図１のＹ方向）の倒れ防止の機能も併せもっている。
【００１７】
続いて本発明のバスリフト入浴装置１００の使用態様について説明する。車椅子３０によって脱衣室から浴室内へ搬送した入浴者Ｍを入浴させるに当たり、予めバスリフト本体７０の吊具体４０を横行部５０の左端停止位置にて待機させると共にレール付昇降台８０を昇降部７０Ｃの最上端位置にて待機させておくものである。斬る状態において、介助者Ｋは、入浴者Ｍの背中を前にして即ち入浴者と対面する形で車椅子３０をバスリフト本体７０にドッキングさせる。この際ガイドバー７０Ａに車椅子３０の一部を当接させながら接近させてゆっくり押し込めば、脚部１０は正確に位置決めされるので、クランパーＫ３,Ｋ４によって、バスリフト本体７０の前面所定位置に容易にしかも確実にロックされる。又、車椅子３０は、上記脚部１０のロック動作と同時にクランパーＫ１,Ｋ２を介して脚部１０と座部２０との間が分離される。（クランパーＫ１〜Ｋ４は周知技術のため、その説明は省略する。）
【００１４】
更に、この時背もたれ２０Ａの背面２０Ｂに設けた引掛棒２０Ｈは吊具体４０に設けたフック４０Ａの付勢スプリング（図示せず）に抗してフック４０Ａを押し下げながら進入し、車椅子３０が定位置にて停止した時点で図３の如くフック４０Ａが復帰して引掛棒２０Ｈを係止する。また、車椅子３０とリフト本体７０が完全にドッキングした状態では、吊具体４０側の支持ボルト４０Ｂはその大部分が背もたれ２０Ａ側の受面座２０Ｉ内に没入している。
【００１５】
次いで、介助者Ｋは、座部２０の足受け部を持ち上げて入浴者Ｍの姿勢を椅座位から長座位姿勢へ変えた後、入浴者Ｍごと座部２０を浴槽６０側に向けて手動にて押込操作する。この押込操作によって座部２０を入浴者Ｍごと吊持した吊具体４０は、横行部５０のガイドレール５０Ｂ，５０Ｃに案内されて横行移動する。そして、吊具体４０は、その左端面がａ１位置を超え横行部５０から昇降部７０Ｃのレール付昇降台８０のレール８０Ａ，８０Ｂに完全に乗り移って昇降位置ａ２に達すると（図１参照）、横行移動は図示しない規制手段によって規制されると同時にレール付昇降台８０に同じく図示しない固定手段によって適宜固定される。
【００１６】
続いて介助者Ｋは、スイッチ操作によってモータを駆動し、レール付昇降台８０を降下させて入浴させるものである。又、出浴は上記と逆の動作を行って座部２０が待機中の脚部１０上に載置されて両者が再び連結された後、操作レバー４０Ｃを図５の如く時計方向に回動する。この操作によってフック４０ＨとクランパーＫ３，Ｋ４は連動動作して車椅子３０をリフト本体７０から切り離し一サイクルの作業が終了するものである。
【００１７】
【発明の効果】
以上本発明は、座部２０を入浴者Ｍごと吊持する吊具体４０を横行移動させる２本のガイドレール５０Ｂ，５０Ｃのうち下側に位置するガイドレール５０Ｃは、その中腹部を前方へ所定量Ｙｏだけオフセットしたため、入浴者の重みでガイドレールが下方へ撓んでも座部２０の姿勢は一定に保持されるので入浴者は横行移動中滑り落ちる不安を感じることがない。
【００１８】
更に本発明は、浴槽縁６０Ａの外壁６０Ｂに沿ってガイドバー７０Ａを設けると共に該ガイドバー７０Ａと外壁６０Ｂの間に当て座７０Ｂを配置し、且つ浴槽縁６０Ａの内壁６０Ｃと昇降部７０Ｃとの間隙に締付手段７０Ｂを配備したため、該締付手段７０Ｂの伸長動により、バスリフト本体７０は浴槽縁６０Ａによって圧接保持されるので、大掛かりなアンカー工事を要することなく既存浴槽に容易に据付することが出来る。
【００１９】
又、上記ガイドバー７０Ａは車椅子３０をリフト本体７０にドッキングさせる際の案内機能を有するので、誰にでも容易にしかも確実にドッキングさせる効果も併せもっている。
【図面の簡単な説明】
【図１】本発明のバスリフト入浴装置を示す全体の平面図である。
【図２】本発明のバスリフト入浴装置を示す全体の正面図である。
【図３】本発明のバスリフト入浴装置を示す全体の側面図である。
【図４】本発明の座部と吊具体及び横行部との要部を示す側面図である。
【図５】本発明の座部と吊り具体との作用図である。
【図６】本発明の吊具体及びガイドレールとの作用図である。
【図７】本発明の吊具体及びガイドレールとの作用図である。
【図８】本発明の座部の浴槽への搬入・搬出を示す説明図である。
【符号の説明】
１０              脚部
２０              座部
３０              車椅子
４０              吊具体
５０              横行部
５０Ａ            前面
５０Ｂ，５０Ｃ    ガイドレール
６０              浴槽
６０Ａ            浴槽縁
６０Ｂ            外壁
６０Ｃ            内壁
６０Ｄ            底面
７０              バスリフト本体
７０Ａ            ガイドバー
７０Ｂ            締付手段
７０Ｃ            昇降部
７０Ｄ            当て座
８０              レール付昇降台
８０Ａ、８０Ｂ    レール
Ｋ                介助者
Ｍ                入浴者
Ｘ                左右方向
Ｙｏ              オフセット量
１００            バスリフト入浴装置
【図１】
0003691603.tif 000002
【図２】
0003691603.tif 000003
【図３】
0003691603.tif 000004
【図４】
0003691603.tif 000005
【図５】
0003691603.tif 000006
【図６】
0003691603.tif 000007
【図７】
0003691603.tif 000008
【図８】
0003691603.tif 000009